(57)【要約】      （修正有）【課題】プラスチックシェル内における眼用レンズの有無を、封止を施す直前に検出するための検査システムおよび方法を提供する。【解決手段】検査システム１００は、光学モジュールと適切に一体化された高解像度撮像デバイス１１０と、眼用レンズホルダ１４０の下に適切に取り付けられた紫外線照明モジュール１７０と、眼用レンズホルダ１４０の上に適切に取り付けられた可視ＬＥＤベースのトップライトモジュール１９０とを含み、検査システム１００は、プラスチックシェル内の生理食塩水に浸漬されたレンズ１５０の画像を取り込み、画像を解析してレンズ周辺部および光心の特性を判定し、解析した画像が裏返しのレンズ、複数のレンズ、および折れたレンズの存在、またはレンズの不在を示す場合に、検査した製品をはねることを決定し、解析した画像が正しい向きで位置する１枚のレンズの存在を示す場合に、検査した製品を受け入れることを決定する。【選択図】図１
2018169605.tif 000002
【特許請求の範囲】
【請求項１】
コンタクトレンズを生理食塩水に浸漬させて保持するための透明または半透明プラスチックホルダと、
該ホルダの上に取り付けられた可視ＬＥＤベースの照明モジュールおよび該ホルダの下に取り付けられた紫外ＬＥＤベースの照明モジュールを使用して、該レンズおよび該ホルダを照明するための手段と、
該可視ＬＥＤ照明モジュールの選択されたＬＥＤセグメントを動的にオンオフするための手段と、
該レンズおよび該ホルダの画像を取り込むための手段と、
該画像を解析して欠陥を特定するための手段と、
該ホルダ内のレンズの数を計数するための手段と、
裏返しのレンズを特定するための手段と、
間違って位置するレンズを特定するための手段と、
折れたレンズを検出するための手段とを含む、レンズを自動検査するための装置。
【請求項２】
前記レンズの上に取り付けられた前記第１の照明源が、可視光スペクトルのＬＥＤのアレイを含む、請求項１記載の装置。
【請求項３】
前記レンズの下に取り付けられた前記第２の照明源が、紫外光スペクトルのＬＥＤのアレイを含む、請求項１記載の装置。
【請求項４】
前記第１の照明モジュールおよび前記第２の照明モジュールを瞬間的にストロボ発光させるための前記手段が、ストロボ光コントローラを含む、請求項１記載の装置。
【請求項５】
前記第１の照明モジュールおよび前記第２の照明モジュールを瞬間的にストロボ発光させるための前記手段が、カメラのシャッタトリガに同期的または非同期的に関連する、請求項２記載の装置。
【請求項６】
前記第１の照明モジュールの選択されたＬＥＤセグメントを無効にするための前記手段が、前記ストロボ光コントローラにより制御される、請求項２記載の装置。
【請求項７】
画像を取り込むための前記手段が高解像度カメラを含む、請求項１記載の装置。
【請求項８】
画像を取り込むための前記手段、前記第１の照明モジュールおよび前記第２の照明モジュールをストロボ発光させるための前記手段、ならびに前記画像を解析して欠陥を特定するための前記手段が、コンピュータに常駐するソフトウェア・プログラムにより管理される、請求項１記載の装置。
【請求項９】
第１の照明モジュールの特定セグメントを無効にするステップと、
カメラシャッタと該第１の照明モジュールおよび第２の照明モジュールとを同期的にストロボ発光させて、レンズを生理食塩水に浸漬させた状態でレンズホルダの画像を取り込むステップと、
取り込まれた画像を解析して、レンズの欠陥を認識するステップと、
処理された画像の欠陥パラメータをソフトウェアに予め設定されたパラメータと比較することにより、該解析した画像の欠陥の特徴をレンズ欠陥として認識するステップと、
欠陥として特定された該レンズのいずれかを欠陥品としてはねるステップとを含む、複数のレンズを自動で検査するための方法。
【請求項１０】
第１の照明モジュールの特定セグメントを無効にするステップと、
カメラシャッタと該第１の照明モジュールおよび第２の照明モジュールとを異なる時間にストロボ発光させて、レンズを生理食塩水に浸漬させた状態でレンズホルダの少なくとも２つの画像を取り込むステップと、
取り込まれた画像を解析して、レンズの欠陥を認識するステップと、
処理された画像の欠陥パラメータをソフトウェアに予め設定されたパラメータと比較することにより、該解析した画像の欠陥の特徴をレンズ欠陥として認識するステップと、
欠陥として特定された該レンズのいずれかを欠陥品としてはねるステップとを含む、複数のレンズを自動で検査するための方法。
【請求項１１】
前記可視ＬＥＤベースの照明モジュールにおけるＬＥＤの予めプログラムされたセグメントを選択的に無効にするステップをさらに含む、請求項９記載の方法。
【請求項１２】
前記可視ＬＥＤベースの照明モジュールにおけるＬＥＤの予めプログラムされたセグメントを選択的に無効にするステップをさらに含む、請求項１０記載の方法。
【請求項１３】
両方の照明モジュールをカメラシャッタと同期してトリガした状態で画像を取得するステップをさらに含む、請求項９記載の方法。
【請求項１４】
各照明モジュールをカメラシャッタと同期して２つの異なる間隔でトリガした状態で２つの画像を取得するステップをさらに含む、請求項１０記載の方法。
【発明の詳細な説明】
【技術分野】
【０００１】
本発明は、プラスチックシェルに含まれる生理食塩水中に浮遊する眼用レンズを、複数の照明モジュールを用いて検出および検査するための装置および方法に関する。より詳細には、本発明は、半透明または透明プラスチックシェル内における眼用レンズの有無、裏返し、折れ、複数の眼用レンズの存在、およびレンズの数を封止プロセスの直前に検出する装置および方法に関する。
【背景技術】
【０００２】
本発明は、自動製造ラインにおける検査システムに関する。より詳細には、本発明は、プラスチックシェル内の生理食塩水に浸漬された眼用レンズの検査システムおよび方法に関する。プラスチックシェルは、複数の照明モジュールを備えて構成された検査ステーションに送られる。半透明のプラスチックシェルもあれば、透明のプラスチックシェルもある。半透明材料から作られたプラスチックシェルの拡散特性は、透明材料から作られたプラスチックシェルとは異なる。この差異によって、眼用レンズの取込み画像は大きく変化し、プラスチックシェル内における眼用レンズの有無、裏返し、折れ、および複数の眼用レンズの存在を確実に検出する際に問題が生じるおそれがある。
【０００３】
そのようなシステムは、特にレンズのエッジを強調しようとするときに、ある固有の限界を有する。ＬＥＤ照明を用いる検査システムは、一般に、プラスチックシェルが透明であるときに、生理食塩水中に浮遊するレンズのエッジを強調することにより良好な成果が得られる。いくつかの実験は、生理食塩水中に浮遊するレンズをそのような照明技法を用いて検査するにもかかわらず、特にプラスチックシェルが半透明であるときに、空のプラスチックシェル、複数のレンズ、および裏返しのレンズ、または折れたレンズが検査プロセス後に検出されたことを示している。
【０００４】
レンズの有無、裏返し、折れ、および複数のレンズの検出を組み合わせる簡単かつ効果的な検査システムが、費用削減のためだけでなく、品質管理およびその後の欠陥のない眼用レンズの分離を効率化するために製造業者にとって望ましい。このプロセスにより、製造業者は良質な製品を顧客に出荷することができる。
【０００５】
現在の方法は、一般に、統計的にサンプリングされた眼用レンズを使用し、それらのレンズは、照明用の可視ＬＥＤ光と顕微鏡とを用いて手動で検査して、裏返しのレンズ、複数のレンズ、および浮いているレンズを検出する。
【０００６】
そのような方法にはかなり多くの時間がかかる。サンプリングによる検査は、１００％の品質を保証することができないため欠陥製品を通過させることを容認し、人的エラーを非常に受けやすく、特に大量生産の場合に効果的でないこともわかっている。一般に、適切に設計された自動検査システムは、疲労、乱れ、または主観的な検査基準の変化を受けることがないため、人による検査システムよりも一貫性があることが理解されている。
【発明の概要】
【発明が解決しようとする課題】
【０００７】
艶消または半透明シェルに含まれる生理食塩水中に浮遊するコンタクトレンズの正確かつ確実な画像を生成して、レンズの有無、裏返しのレンズ、複数のレンズ、およびレンズの数の計数などの複数の特徴の検査を可能にし得る、複数の波長の照明モジュールを用いる単一の装置および方法が、本発明の目的である。
【課題を解決するための手段】
【０００８】
本発明の装置および方法は、先行技術に見られる問題の少なくとも一部に対処する。
【０００９】
本発明による自動眼用レンズ検査システムは、検査中の各レンズの複数の画像を取得する眼用レンズ撮像システムと、レンズの各画像を解析して、検査中のレンズに１つまたは複数の異常があるかどうかを判定するレンズ画像解析サブシステムとを含む。自動レンズ検査システムは、１つまたは複数の照明構成を有効にした状態で、対象物の１つまたは複数の画像を取得する。本発明の一実施形態において、レンズ検査システムは、プラスチックシェル内におけるレンズの存在、裏返しまたは向きを間違えたレンズ、複数のレンズの存在、レンズの数の計数、折れたレンズ、または前述の問題のいずれかの組合せを検査する。
【００１０】
本発明の目的は、生理食塩水中に浮遊するコンタクトレンズを検査して、コンタクトレンズの存在、レンズの数の計数、向きを間違えたレンズ、裏返しのレンズ、または折れたレンズを検査するための装置および方法を提供することである。提供される本発明は、高解像度カメラおよびレンズを構成し、これらは、レンズホルダの下部に適切に取り付けられた紫外ＬＥＤベースの照明モジュールと、可視ＬＥＤを考慮して設計され、レンズホルダの上部に適切に取り付けられた第２の照明モジュールと、両照明モジュールにおけるＬＥＤの選択されたセグメントの照明を可能にする照明コントローラとにより照明されるコンタクトレンズの高解像度画像を、ソフトウェア・アプリケーションにプログラムされた通りに取り込む。
【００１１】
本発明のさらなる目的は、紫外線（ＵＶ）波長（２００〜４００ｎｍ）のＬＥＤベースのバックライト照明、可視波長のＬＥＤベースのトップライト照明（４００〜７００ｎｍ）、またはコンタクトレンズの存在の両方の検出の組合せを使用する装置および方法を提供することである。
【００１２】
本発明のさらなる目的は、複数の照明モジュールを電子的にトリガして、ある特定の場合に短パルスの光を同期的または非同期的に発することのできるストロボ・コントローラと一体化された装置を提供することである。
【００１３】
本発明のさらに別の態様は、自動検査システムに容易に組み込まれるインライン検査モジュールとして使用される装置を提供することである。
【００１４】
本発明の他の特徴および目的が、本明細書中で以下に含まれる好ましい実施形態の詳細な説明および図面から明らかになろう。
【００１５】
本発明の可能な配置を示す添付図面に関して本発明をさらに説明することが好都合であろう。本発明は他の配置が可能であり、したがって、添付図面の特殊性を本発明の前述した説明の一般概念に優先するものと理解すべきではないことを当業者は認識するだろう。
【図面の簡単な説明】
【００１６】
【図１】本発明による光学および照明システムを示す図である。
【図２】先行技術の光学および照明システムを示す図である。
【図３】図１の本発明のシステムにより取り込まれた、レンズのない眼用レンズホルダの画像を示し、検査領域がＢ１である図である。
【図３ａ】図２の先行技術のシステムにより取り込まれた、レンズのない眼用レンズホルダの画像を示し、検査領域がＢ１ａである図である。
【図４】図１の本発明のシステムにより取り込まれた、レンズを含む眼用レンズホルダの画像を示し、検査領域がＢ２である図である。
【図４ａ】図２の先行技術のシステムにより取り込まれた、レンズのない眼用レンズホルダの画像を示し、検査領域がＢ２ａである図である。
【図５】図１の本発明のシステムにより取り込まれた、向きの正しいレンズを含む眼用レンズホルダの画像を示す図である。
【図６】図５の領域Ｂ３の拡大画像である。
【図６ａ】図５の領域Ｂ３ａの拡大画像である。
【図７】図１の本発明のシステムにより取り込まれた、裏返しのレンズを含む眼用レンズホルダの画像を示す図である。
【図８】図７の領域Ｂ４の拡大画像である。
【図８ａ】図７の領域Ｂ４ａの拡大画像である。
【図９】図１の本発明のシステムにより取り込まれた、浮いているレンズを含む眼用レンズホルダの画像を示す図である。
【図１０】浮いているレンズを含む眼用レンズホルダの部分横断面図である。
【図１１】２つのレンズを含む眼用レンズホルダの画像を示す図である。
【図１２】図１１の領域Ｂ５の拡大画像である。
【図１２ａ】図１１の領域Ｂ６の拡大画像である。
【図１３】紫外線バックライトのみを用いて取り込まれた、レンズのない眼用レンズホルダの画像を示し、検査領域がＢ７である図である。
【図１４】紫外線バックライトのみを用いて取り込まれた、１枚のレンズを含む眼用レンズホルダの画像を示し、検査領域がＢ８である図である。
【図１５】紫外線バックライトのみを用いて取り込まれた、２枚のレンズを含む眼用レンズホルダの画像を示し、検査領域がＢ９である図である。
【図１６】紫外線バックライトのみを用いて取り込まれた、３枚のレンズを含む眼用レンズホルダの画像を示し、検査領域がＢ１０である図である。
【発明を実施するための形態】
【００１７】
図１を参照し、本発明の構成された実施形態によれば、眼用レンズの有無、複数のレンズの存在、折れたレンズ、および裏返しレンズを検出するためのシステム１００および方法は、レンズ１２０を通して見えるようにカメラ１１０により取り込まれた画像を解析するためのコンピュータに適切に組み込まれるレンズ１２０に連結されたカメラ１１０を含む。
【００１８】
システムは、２つの照明モジュール１９０、１７０と一体化されている。照明モジュール１９０は、波長が４００ｎｍ〜７００ｎｍであり得る可視ＬＥＤを考慮して設計され、モジュール１７０は、波長が２００ｎｍ〜４００ｎｍであり得る紫外線ベースのＬＥＤを考慮して設計される。照明モジュール１９０は、検査される対象物１５０の上に位置し、照明モジュール１７０は対象物１５０の下に位置する。照明モジュール１７０は、カメラ１７０の電子シャッタおよびストロボ制御電子モジュール１８０の動作に同期して紫外光を発し、照明モジュール１９０は、カメラ１７０の電子シャッタおよびストロボ制御電子モジュール１８０の動作に同期して可視光を発する。コンピュータは、ソフトウェア・プログラムに基づいて、照明モジュールのストロボパルスおよび画像取込みのためのカメラシャッタを発生させる。ソフトウェア・プログラムは、両照明モジュールのストロボ動作を決定し、ストロボは、検査要件に応じて同時であっても異なる時間であってもよい。
【００１９】
さらに、本発明によれば、第１の光学フィルタ１３０をカメラ１１０のレンズ１２０の前に配置して、レンズ１２０に入る光が最初に第１の光学フィルタ１３０を通過しなければならないようにしてもよい。したがって、カメラ１１０は、第１の光学フィルタ１３０によりはねられた光のスペクトルの詳細を含まない、コンタクトレンズにより反射した、またはコンタクトレンズを通過した減衰光を含む画像を取得する。当業者は、第１の光学フィルタ１３０の配置が、カメラ１１０のレンズ１２０の前であっても後であっても、本発明の動作に影響を与えないことを理解するだろう。
【００２０】
バックライトによる紫外光源１７０は、複数の紫外発光ダイオード（ＬＥＤ）を含むことができ、これらの紫外発光ダイオードは、容器１４０内に保持された、生理食塩水１６０中に浮遊する検査中のコンタクトレンズ１５０を照明するのに十分な波長の光を発する。
【００２１】
トップライトによる可視ＬＥＤ光源１９０は、複数の可視発光ダイオード（ＬＥＤ）を含むことができ、これらの可視発光ダイオードは、容器１４０内に保持された、生理食塩水１６０中に浮遊する検査中のコンタクトレンズ１５０を照明する光を発する。照明モジュール１９０は、ＬＥＤが組み合わさってセグメントを形成し、選択されたセグメントを使用して検査中の対象物を照明することができるように設計され構成される。ＬＥＤのセグメンテーションはモジュール１８０により制御されても、異なるタイプの製品ごとに異なっていてもよく、検査システムのセットアップ中に構成される製品のタイプに基づいて予め決定され、レシピに記憶されてもよい。
【００２２】
本発明の別の実施形態によれば、可視ＬＥＤベースの照明モジュール１９０を、強度レベルも制御可能なモジュール１８０に関連して異なる強度でトリガして、特定のタイプのレンズ材料を照明し、検査中の対象物１５０の特定の特徴を強調してもよい。したがって、可視ＬＥＤ光源１９０に基づく光スペクトルに一致するように、異なる光学フィルタ１３０を使用することができる。
【００２３】
本発明の別の実施形態によれば、紫外ＬＥＤベースの照明モジュール１７０を、検査する対象物の強調すべき特徴に基づいて、モジュール１９０を同じ強度または異なる強度でトリガしてもよい。したがって、紫外ＬＥＤ源１７０に基づく光スペクトルに一致するように、異なる光学フィルタ１３０を選択することができる。
【００２４】
本発明の別の実施形態によれば、紫外ＬＥＤベースの照明モジュール１７０または可視ＬＥＤベースのモジュール１９０をオフにして、検査する対象物の特定の特徴を強調することができる。そのような状況で、１つの照明モジュールのみを使用して、検査中の製品を照明してもよい。したがって、画像取込みおよび検査中に使用するモジュールに基づく光スペクトルに一致するように異なる光学フィルタ１３０を選択することができる。
【００２５】
図２の装置は、コンタクトレンズの欠陥を検査するように一般に設計された先行技術の従来のシステムに関する。図２の装置２００は、図１に示す本発明の装置１００とは異なり、図２の可視ＬＥＤベースの照明モジュール２７０が検査対象物２５０の下に位置する。図２を参照すると、先行技術のシステム２００は、レンズ２２０に連結されたカメラ２１０を含み、このカメラ２１０は、レンズ２２０を通して見えるようにカメラ２１０により取り込まれた画像を解析するためのコンピュータに適切に組み込まれる。
【００２６】
システムは、波長が４００ｎｍ〜７００ｎｍであり得る可視ＬＥＤを考慮して設計された単一の照明モジュール２７０と一体化されている。モジュール２７０は、対象物２５０の下に位置する。照明モジュール２７０は、カメラおよびストロボ制御電子モジュール２８０の動作に同期して可視光を発する。
【００２７】
図１に示す本発明の実施形態の前述した詳細な説明は、主に理解を明確にするために示されたものであり、不要な限定が理解または暗示されるものではない。図１に示す本発明の好ましい実施形態において、いくつかの例を以下で説明する。
【００２８】
図３は、図１に示す装置１００を使用して取り込まれた、空のレンズホルダの画像を示す。図３では、四角Ｂ１で囲まれた領域を、ある強度値に達するようにアルゴリズムを用いて解析することができる。特定の製品のタイプに合わせて設定されたレシピファイルの一部を形成する、予めプログラムされた検査パラメータに応じて、計算された強度値を予めプログラムされた強度値と比較し、値がレンズの存在またはレンズの不在に対応するかどうかを判定する。さらに、図１のシステム１００は、トップ照明モジュール１９０の照明しているＬＥＤのいくつかの選択されたセグメントをオフにした状態で、レンズホルダの画像を取り込む。オフにするセグメントは、各製品タイプの検査セットアップ中に作成されるレシピファイルに予めプログラムされる。選択されたセグメントをオフにした状態の、修正された照明構成を用いた画像取込みのプロセスにより、図３の位置３０で反射パターンに切れ目のある画像が得られる。互いに略同心の破線から構成される反射パターンの切れ目の位置は、オフにするＬＥＤセグメントに応じて変化し得る。この現象の重要性について、欠陥検査方法を説明するときに、後述の説明において説明する。
【００２９】
画像のさらなる解析は、生理食塩水中に浮遊するレンズのエッジの検出を含むことができる。しかしながら、レンズのエッジはレンズの位置に応じて非常にぼやけたものになり得るため、エッジの検出は非常に困難となり得ることが、後述の説明において明らかになろう。したがって、エッジ検出方法は不明確であり、正確度および再現性に信頼性がない。
【００３０】
図３ａは、図２に示す装置２００を用いて取り込まれた、空のレンズホルダの画像を示す。光強度の減衰はほとんどまたは全くなく、四角Ｂ１ａで囲まれた領域内に明瞭なパターンもない。図２に示す先行技術のシステム２００において、可視ＬＥＤベースの照明モジュール２７０を使用して検査中のレンズを照明することに注目することが重要である。
【００３１】
図４は、装置１００を用いて取り込まれた、生理食塩水中に浮遊する１枚の眼用レンズを含むレンズホルダの画像を示す。図４では、四角Ｂ２で囲まれた領域が２つの明瞭な円形パターンを示す。外側の破線４０は図１の生理食塩水１６０の表面からの反射であり、内側の２本の破線４２は、ホルダ内の図１のコンタクトレンズ１５０の上面および下面からの反射によるものである。画像の両側に切れ目４１、４３をそれぞれ含む、２つの非連続円４０、４２の形の２つの明瞭なパターンがあることに注目されよう。この現象は、図１のカメラ１１０に対して凸状である生理食塩水１６０からの反射と、図１のカメラ１１０に対して凹状であるレンズ１５０からの反射とによって生じる。この特定の現象は、後述の説明で述べる、浮いているレンズの問題を検出するときに特に有用である。
【００３２】
２つの照明モジュール１７０、１９０を用いて図４に示す画像を実現するシステム１００を使用することにより、従来の方法における眼用レンズのエッジ検出の不整合性がなくなる。
【００３３】
図４ａは、図２の装置２００を用いて取り込まれた１枚のレンズを含むホルダの画像を示す。１枚のレンズを含むホルダの画像を示す図４ａでは、四角Ｂ２ａで囲まれた領域が、四角Ｂ１ａで囲まれた領域にレンズがないホルダの画像を示す図３ａと比較して、明瞭な変化を示していない。図３ａおよび図４ａに示すシステム２００により取り込まれた画像に明瞭なパターンがないと、システム設計に固有の限界によってレンズエッジが陰影領域に入るため、システム２００の信頼性がなくなる。
【００３４】
図５は、強度、アクティブなＬＥＤセグメント、およびトリガの正確なタイミングについてソフトウェア・アプリケーションにより予め設定されたストロボ・コントローラ１８０を通して照明モジュール１７０、１９０を同期的にトリガすることにより、図１に示す装置１００を用いて取り込まれた眼用レンズの画像を示す。照明モジュールのトリガのタイミング、照明の強度、および照明するセグメントの選択などのストロボ・コントローラ１８０に関連するパラメータを、製品タイプおよびホルダタイプに応じて設定し、レシピに記憶させることができる。その後、レシピをセットアップ時にダウンロードして、特定の製品タイプについての検査システムの迅速な設定を可能にすることができる。図５に四角Ｂ３で示される領域が、図６に拡大して示される。前述したように、トップライト１９０によるレンズの照明によって生じる反射現象により、図６に見られる明瞭なパターンとなり、これはレンズがホルダ内に存在することを示す。レンズが裏返しまたは反転しているかどうかを検出するために、領域Ｂ３ａで囲まれたレンズのエッジでさらなる解析が行われる。図５の領域Ｂ３ａの拡大画像が図６ａに示される。図６ａでは、２つの明確なエッジ６０、６１がはっきり見える。線６０はレンズのエッジを表し、線６１は生理食塩水のエッジを表す。線６１と共に明瞭な線６０が存在することが解析され、向きの正しいレンズが存在すると判定される。
【００３５】
図７は、裏返しまたは向きを間違えたレンズを含むレンズホルダの画像を示す。図７に四角Ｂ４で示される領域が、図８に拡大して示される。前述したように、図８に見られる明瞭なパターンは、レンズがホルダ内に存在することを示す。レンズが裏返しまたは反転しているかどうかを検出するために、領域Ｂ４ａで囲まれたレンズのエッジでさらなる解析が行われる。図７の領域Ｂ４ａの拡大画像が図８ａに示される。図８ａでは、１つの明確なエッジ６３のみがはっきり見える。線６３は生理食塩水のエッジを表す。図８の明瞭なパターンがレンズの存在を既に表しているため、別の明瞭な線が存在しないことは、向きを間違えたまたは裏返しのレンズと判定される。
【００３６】
典型的な浮いているレンズの問題が図１０に示され、この図は、生理食塩水１６０中で浮いているレンズ１５０から構成され、生理食塩水のエッジが位置４０４で示された、レンズホルダの横断面図を示す。浮いているレンズの問題により、図１および図２のそれぞれの１６０、２６０で見られるような生理食塩水の凸状の表面外形が失われる。これは、図１０のレンズ１５０がレンズホルダの底部に置かれていないことによって生じる。図１０では、レンズ１５０の表面外形と生理食塩水１６０の表面外形とが類似しているため、線４０２、４０３のそれぞれの切れ目４０２ｘ、４０３ｘの位置によって明らかなように、両表面からの反射パターンが類似する。このパターンの変化は、浮いているレンズの問題として分類される。
【００３７】
図１１は、図１のシステム１００のトップライト照明１９０およびバックライト照明１７０により照明された２枚のコンタクトレンズにより構成されたレンズホルダの画像を示す。図１２は、図１１の四角Ｂ５の拡大画像である。図１２では、２枚のレンズのエッジを表す２本の黒線４０５、４０６がはっきり見え、４０４は生理食塩水のエッジを表す。黒線の数は、ホルダ内のレンズの数に正比例する。さらに、図１１において四角Ｂ６で囲まれた領域の拡大画像である図１２ａに示すように、２つのレンズの上面および下面からの反射は、３本以上の円形の非連続白線４０７を示す。このパターンは、２枚以上のレンズの存在を示す。さらに、レンズの中心付近の領域の強度は、１枚のレンズの画像と比較して低くなっている。照明の強度は、レンズの数が増加するごとに比例して低下する。図１１の画像は、明らかに複数のレンズの場合を表すため、ソフトウェア・プログラムにより設定されたパラメータに応じて欠陥としてはねられる。
【００３８】
レンズの中心付近の画像内における非連続円以外のパターンを解析し、傾き、ずれ、折れ、および複数のレンズなどの多くのカテゴリーに分類する。図１のシステム１００により取り込まれた画像は、可視ＬＥＤベースのトップライト照明１９０および紫外ＬＥＤベースのバックライト照明１７０の両方を使用することができる。したがって、図１のシステム１００により、眼用レンズの検査プロセス中に問題を特定し分離するための大幅な改善が達成される。
【００３９】
紫外線ベースのバックライトによる照明のみを使用して、図１のシステム１００のレンズ１５０を照明する、本発明の異なる実施形態を使用すると、４つの画像が示される。図１３、図１４、図１５、および図１６に示す画像は、レンズなし、１枚のレンズ、２枚のレンズ、３枚のレンズをそれぞれ含むコンタクトレンズの画像を表し、減衰および吸収の効果を示す。レンズの有無を判定するのに使用されるグレースケール値を予め決定し、異なる製品タイプおよびホルダタイプについてのレシピファイルにパラメータとして記憶させる。検査セットアップ中、単一および複数のレンズに関連するグレースケール値も決定し、それぞれのレシピファイルに記憶させる。明らかなように、図１３の画像の領域Ｂ７は明るい。解析すると、図１３の領域Ｂ７の強度レベルまたはグレースケールレベルは高く、これはホルダ内にレンズが存在しないことを示す。図１４、図１５、および図１６の画像の領域Ｂ８、Ｂ９、Ｂ１０における平均グレースケール値は、それぞれ１枚、２枚、および３枚のレンズの存在を表す。レンズの数が増加するごとにレンズの中心付近の光学領域の強度が低下し、これは光の減衰および吸収が増加する現象を明らかに示すことが当業者には自明である。画像を検査するときに、ホルダ内に存在するレンズの数に比例する予め設定された強度値をソフトウェアにより使用して、レンズのない、または２枚以上のレンズを含むレンズホルダを一貫して正確にはねる。
【００４０】
様々な実施形態における本発明の修正は、本開示を読めば当業者に自明であり、添付の特許請求の範囲に包含される本発明の範囲から逸脱することなく、このような修正を行うことができる。このことから、本発明のいくつかの目的が達成され、他の利点が得られることがわかるであろう。本発明の範囲から逸脱することなく上記の構成および方法に多くの変更を行うことができるため、上記説明に含まれるすべての事項は例示的なものと解釈されるべきであり、限定的な意味で解釈されるべきではないことが意図される。
【図１】
2018169605.tif 000003
【図２】
2018169605.tif 000004
【図３】
2018169605.tif 000005
【図３ａ】
2018169605.tif 000006
【図４】
2018169605.tif 000007
【図４ａ】
2018169605.tif 000008
【図５】
2018169605.tif 000009
【図６】
2018169605.tif 000010
【図６ａ】
2018169605.tif 000011
【図７】
2018169605.tif 000012
【図８】
2018169605.tif 000013
【図８ａ】
2018169605.tif 000014
【図９】
2018169605.tif 000015
【図１０】
2018169605.tif 000016
【図１１】
2018169605.tif 000017
【図１２】
2018169605.tif 000018
【図１２ａ】
2018169605.tif 000019
【図１３】
2018169605.tif 000020
【図１４】
2018169605.tif 000021
【図１５】
2018169605.tif 000022
【図１６】
2018169605.tif 000023
【外国語明細書】
2018169605000001.pdf